(57)【要約】      （修正有）【課題】種々の形式で折り畳まれたポケットチーフを、傷めることなく安定した状態で保持して、礼服やスーツの胸ポケットに簡単に装着することができるポケットチーフホルダを提供する。【解決手段】胸ポケット４１に装着されたポケットチーフ３０の型くずれ又は胸ポケットからの脱落を防止するためのポケットチーフホルダ１０であって、長手方向における中央部で折り曲げられる帯状のホルダ本体１１と、ホルダ本体が折り曲げられた場合に形成される一対の折り曲げ片部１４、１５を互いに吸着接合させるためにホルダ本体に内蔵された磁性部材とを有し、ホルダ本体は、互いに吸着接合した一対の折り曲げ片部により、中央部において幅方向に沿って円筒部を形成し、円筒部によりポケットチーフを左右方向に沿って把持する。【選択図】図４
0003227261.tif 000002
【実用新案登録請求の範囲】
【請求項１】
胸ポケットに装着されたポケットチーフの型くずれ又は当該胸ポケットからの脱落を防止するためのポケットチーフホルダであって、
長手方向における中央部で折り曲げられる帯状のホルダ本体と、
前記ホルダ本体が折り曲げられた場合に形成される一対の折り曲げ片部を互いに吸着接合させるために前記ホルダ本体に内蔵された磁性部材とを有し、
前記ホルダ本体は、互いに吸着接合した前記一対の折り曲げ片部により、前記中央部において幅方向に沿って円筒部を形成し、当該円筒部により前記ポケットチーフを左右方向に沿って把持することを特徴とするポケットチーフホルダ。
【請求項２】
前記ホルダ本体は、革製であることを特徴とする、請求項１に記載のポケットチーフホルダ。
【請求項３】
前記胸ポケットが設けられている服の内側から前記磁性部材に磁気的に吸着して前記服に固定させるホルダ固定部材を有することを特徴とする、請求項１に記載のポケットチーフホルダ。
【考案の詳細な説明】
【技術分野】
【０００１】
本考案は、礼服やスーツの胸ポケットに装着されるポケットチーフを保持するためのポケットチーフホルダに関する。
【背景技術】
【０００２】
ポケットチーフは、所望の形に整えて胸ポケットに装着されるが、着用者の体の動きなどに起因して型くずれが生じやすい。この不具合を解消するために、ポケットチーフホルダが使用される（例えば、特許文献１〜３参照）。
【０００３】
特許文献１には、二つの突起部と、両突起部の間の切り込み部とからなる形状のポケットチーフホルダが記載されている。ポケットチーフホルダは、二つの突起とその間の切り込み部とによりポケットチーフを波状に変形させて保持することにより、ポケットチーフの型くずれを防止する。
【０００４】
特許文献２には、ポケットチーフと一体化した内部ホルダと、内部ホルダを収納する外部ホルダとを備えたポケットチーフホルダが記載されている。このポケットチーフホルダによれば、ポケットチーフを保持した内部ホルダを外部ホルダに対して上下方向に移動させることにより、胸ポケットの深さに合わせてポケットチーフを最適な高さに保持することができる。
【０００５】
特許文献３には、ポケットチーフを表裏から挟んで噛み合う複数の凸部を有する把持部と、把持部を保持する基板部とを備えたポケットチーフホルダが記載されている。このポケットチーフホルダによれば、種々の形式で折り畳まれたり、形付けられたりしたポケットチーフを保持できる。
【先行技術文献】
【特許文献】
【０００６】
【特許文献１】実登3179265号公報
【特許文献２】実登3153877号公報
【特許文献３】実登3143160号公報
【考案の概要】
【考案が解決しようとする課題】
【０００７】
しかし、特許文献１のポケットチーフホルダは、二つの突起とその間の切り込み部とによりポケットチーフを波状に変形させて保持する構造のため、保持し得るポケットチーフの形や厚みが限定的であるばかりか、ポケットチーフを傷めてしまう。
【０００８】
また、特許文献２のポケットチーフホルダは、ポケットチーフが内部ホルダと一体化した構造のため、種々のポケットチーフを使用することができない。すなわち、形や色柄の異なるポケットチーフを使用するためには、ポケットチーフを内部ホルダごと取り替える必要がある。
【０００９】
また、特許文献３のポケットチーフホルダは、ポケットチーフを挟む部分が、ポケットチーフを表裏から挟んで噛み合う複数の凸部により構成されるため、ポケットチーフを傷めてしまう。
【００１０】
本考案は、種々の形式で折り畳まれたり形付けられたりしたポケットチーフを、傷めることなく安定した状態で保持して型くずれやポケットからの脱落を防止し、礼服やスーツの胸ポケットに簡単に装着することができるポケットチーフホルダを提供する。
【課題を解決するための手段】
【００１１】
上記課題を解決するために、請求項１のポケットチーフホルダは、胸ポケットに装着されたポケットチーフの型くずれ又は当該胸ポケットからの脱落を防止するためのポケットチーフホルダであって、長手方向における中央部で折り曲げられる帯状のホルダ本体と、前記ホルダ本体が折り曲げられた場合に形成される一対の折り曲げ片部を互いに吸着接合させるために前記ホルダ本体に内蔵された磁性部材と、を有し、前記ホルダ本体は、前記互いに吸着接合した一対の折り曲げ片部により、前記中央部において幅方向に沿って円筒部を形成し、当該円筒部により前記ポケットチーフの左右方向に沿って把持することを特徴とする。
【００１２】
上記構成によれば、所望の形に整えたポケットチーフの左右方向に沿って把持させたホルダ本体をポケットチーフと共に胸ポケットの中に収納することにより、ポケットチーフを胸ポケットに簡単に装着することができる。
また、ポケットチーフの上下方向における中間部又は下端部を、形成された円筒部により把持するので、種々の形式で折り畳まれたり、付けられているポケットチーフを、傷めることなく保持可能である。ホルダ本体には磁性部材が内蔵されているので、ポケットチーフホルダはホルダ本体及び磁性部材の重さにより下方に向かって所定の重力が作用することから、ポケットチーフのみを収納する場合とは異なり、胸ポケット内に安定した状態で保持される。
【００１３】
また、請求項２のポケットチーフホルダは、請求項１のポケットチーフホルダにおいて、前記ホルダ本体は革製であることを特徴とする。
【００１４】
上記構成によれば、ホルダ本体が革製であることにより、ポケットチーフを傷めることなく保持可能とするとともに、高級感のある質感のポケットチーフホルダを実現できる。
【００１５】
また、請求項３のポケットチーフホルダは、請求項１のポケットチーフホルダにおいて、前記ホルダ本体は、前記胸ポケットが設けられている服の内側から前記磁性部材に磁気的に吸着する前記ホルダ固定部材を有することを特徴とする。
【００１６】
上記構成によれば、ホルダ固定部材を胸ポケット内側の布地を介してホルダ本体に吸着させることにより、ホルダ本体を胸ポケット内に磁気固定できるので、使用者が激しく動いた場合であっても、ポケットチーフがホルダ本体と共に胸ポケットの外へ出て脱落してしまうという事態を、より確実に防止できる。
【考案の効果】
【００１７】
本考案のポケットチーフホルダによれば、種々の形式で折り畳まれたり形付けられたりしたポケットチーフを、傷めることなく安定した状態でポケット内において保持して、ポケットチーフの型くずれや、ポケットチーフのポケットからの脱落を防止すると共に、礼服やスーツの胸ポケットに簡単に装着することができるポケットチーフホルダを提供することができる。
【図面の簡単な説明】
【００１８】
【図１】（Ａ）は一実施形態のポケットチーフホルダの斜視図である。（Ｂ）は、（Ａ）のポケットチーフホルダに付属するホルダ固定部材の斜視図である。
【図２】図１に示すポケットチーフホルダの中央部を折り曲げた状態の断面図である。
【図３】図１に示すポケットチーフホルダにポケットチーフを保持させた状態を例示する斜視図である。
【図４】（Ａ）〜（Ｄ）は、図１に示すポケットチーフホルダの使用方法を例示する一連の説明図である。
【考案を実施するための形態】
【００１９】
以下、添付図面を参照して、一実施形態のポケットチーフホルダ１０について説明する。
【００２０】
［構成］
図１（Ａ）に示すように、ポケットチーフホルダ１０は、長手方向における中央部１１ｃが折り曲げられるように形成された帯状のホルダ本体１１と、ホルダ本体１１が折り曲げられた場合に形成される一対の折り曲げ片部１４、１５を互いに吸着接合させるために前記ホルダ本体に内蔵された磁性部材１２、１３とを有している。
【００２１】
磁性部材１２、１３は細長板状に形成されて、ホルダ本体１１の長さ方向両端部に内装されている。即ち、一対の磁性部材１２、１３のうち、一方の磁性部材１２は、ホルダ本体１１の一端１１ｅの近傍と、中央部１１ｃから離間した部位との間の領域に内蔵された平板状の磁性部材である。もう一方の磁性部材１３は、ホルダ本体１１の他端１１ｆの近傍と、中央部１１ｃから離間した部位との間の領域に内蔵された平板状の磁性部材である。
【００２２】
ホルダ本体１１は革製であり、図２に示すように、前記ホルダ本体１１は、互いに吸着接合した一対の折り曲げ片部１４、１５により、中央部１１ｃにおいて幅方向に沿って円筒部１６を形成するように構成されている。
円筒部１６は、磁性部材１２、１３が内装されていない部位１１ａにおける革部材の剛性により形成されるものであり、図３に示すように、円筒部１６内部の空隙Ｓ内にポケットチーフ３０の上下方向における中間部３０ａを円筒部１６により把持する。
【００２３】
ポケットチーフホルダ１０は、ホルダ本体１１の他に、図１（Ｂ）に示す円盤状のホルダ固定部材２０を有している。ホルダ固定部材２０は、円板状の磁性部材２１と、磁性部材２１を包む革製の外被２２とにより構成される。図４（Ｄ）に示すように、ホルダ固定部材２０は、ポケットチーフ３０をホルダ本体１１と共に胸ポケット４１に収納した服４０の内側の布材側４０ａ側から磁性部材１２、１３に磁気的に吸着し得る。
【００２４】
［使用方法］
上記のように構成された本実施の形態に係るポケットチーフホルダ１０の使用方法について説明する。
本実施の形態に係るポケットチーフホルダ１０を使用してポケットチーフ３０を上着のポケット内に収納する場合には、先ず、図４（Ａ）に示すように、所望の形に折って形態を整えたポケットチーフ３０の上下方向における下端部３０ａをホルダ本体１１の内面、すなわち、折り曲げたときに内側になる面の中央部１１ｃに配置する。
【００２５】
図４（Ｂ）に示すように、ホルダ本体１１の中央部１１ｃを折り曲げて、一対の折り曲げ片部１４、１５を互いに、磁性部材１２、１３により磁気吸着して接合することにより中央部１１ｃに円筒部１６を形成し、円筒部１６内に形成される空隙Ｓ内にポケットチーフ３０を配置して、円筒部１６に把持させる。
【００２６】
この場合、図４（Ｃ）に示すように、ホルダ１１はポケットチーフ３０の長さ方向に対して直交するように配置され、この状態でポケットチーフ３０及びホルダ本体１１を上着の胸ポケット４１の中に挿入する。その際、ポケットチーフ３０のポケットチーフホルダ１０よりも下方に出ている部分は、必要に応じて折り曲げるなどしておく。
【００２７】
図４（Ｄ）に示すように、必要に応じて、ホルダ固定部材２０を服４０の内側の布材側４０ａ側から磁性部材１２、１３に磁気的に吸着させて、ホルダ本体１１を胸ポケット４１内に固定する。
【００２８】
［作用効果］
本実施の形態にあっては、所望の形に整えたポケットチーフ３０を、ポケットチーフホルダ１０のホルダ本体１１の円筒部１６により把持し、ポケットチーフ３０に対して直交した状態となっているホルダ本体１１と共に、上着の胸ポケット４１の中に収納するものである。
この場合、ポケットチーフ３０の上下方向における下端部３０ａを、ホルダ本体１１の円筒部１６の空隙Ｓ内に配置した状態でホルダ本体１１が把持しているので、種々の形式で折り畳まれたり形付けられたりしたポケットチーフ３０を、傷めることなく適切に保持することができる。
また、ホルダ本体１１には磁性部材１２、１３が内蔵されているので、ポケットチーフホルダ１０はホルダ本体１１及び磁性部材１２、１３の重さにより、胸ポケット４１内に安定した状態で保持される。
【００２９】
従って、本実施の形態に係るポケットチーフホルダ１０によれば、種々の形式で折り畳まれたり形付けられたりしたポケットチーフ３０を、傷めることなく安定した状態で保持して、礼服やスーツの胸ポケット４１に簡単に装着することができる。
【００３０】
また、ポケットチーフホルダ１０は、ホルダ本体１１が革製であるので、高級感のある質感を有する。
【００３１】
また、ポケットチーフホルダ１０は、ホルダ固定部材２０を使用することにより、ホルダ本体１１を胸ポケット４１内に磁気固定できるので、激しい動きが加わったときでも、ポケットチーフホルダ１０が胸ポケット４１の外へ出てしまう事態を有効に防止できる。
【００３２】
また、ホルダ固定部材２０は、外被２２が革製であるので、ホルダ本体１１と共に高級感のある質感を有する。
【００３３】
なお、ホルダ本体１１及び外被１５は、高級感を実現する上で共に本革製であることが望ましいが、どちらか一方、たとえば外被１５は合成皮革であってもよい。
【００３４】
また、上記実施形態では、ポケットチーフ３０の上下方向における中間部３０ａをポケットチーフホルダ１０により把持する使用方法について説明したが、ポケットチーフ３０の折り畳み方によっては、ポケットチーフ３０の下端部を把持する使用方法も採用可能である。
【符号の説明】
【００３５】
１０  ポケットチーフホルダ
１１  ホルダ本体
１１ａ  磁性部材が内装されていない部位
１１ｃ  中央部
１１ｄ  滑らかな面
１２  磁性部材
１３  磁性部材
１４  折り曲げ片部
１５  折り曲げ片部
１６  円筒部
２０  ホルダ固定部材
２１  磁性部材
２２  外被
３０  ポケットチーフ
３０ａ  下端部
４１  胸ポケット
４０  服
４０ａ  布材
Ｓ  空隙
【図１】
0003227261.tif 000003
【図２】
0003227261.tif 000004
【図３】
0003227261.tif 000005
【図４】
0003227261.tif 000006